(57)【要約】【課題】  本発明は、装置を大きくせず、また、操作性を悪化させずに、ロック時に発生する騒音を防止し可能としたハートカム式ロック装置を提供することを目的とする。【解決手段】  ハートカム23を有するリテーナ部20と、揺動可能なロックピン26を有するロックピン部21とを具備し、前記リテーナ部20とロックピン部21の何れか一方を押し動作することによりロックピン26がハートカム23の凹部23ａに誘導されてロック状態となり、前記ロック状態から再度リテーナ部20とロックピン部21の何れか一方を押し動作することによりロックピン26がハートカム23の凹部23ａから脱出してロックが解除されるハートカム式ロック装置において、前記最初の押し動作時に、前記ロックピン26をハートカム23の凹部23ａに誘導するため、前記ロックピン26を前記ハートカム23の凹部23ａの方向に付勢するクッション27をロックピン部21に設けるように構成する。【選択図】      図１
2005319948.tif 000002
【特許請求の範囲】
【請求項１】
ハートカム（２３）を有するリテーナ部（２０）と、揺動可能なロックピン（２６）を有するロックピン部（２１）とを具備し、
前記リテーナ部（２０）とロックピン部（２１）の何れか一方を押し動作することによりロックピン（２６）がハートカム（２３）の凹部（２３ａ）に誘導されてロック状態となり、
前記ロック状態から再度リテーナ部（２０）とロックピン部（２１）の何れか一方を押し動作することによりロックピン（２６）がハートカム（２３）の凹部（２３ａ）から脱出してロックが解除されるハートカム式ロック装置において、
前記最初の押し動作時に、前記ロックピン（２６）をハートカム（２３）の凹部（２３ａ）に誘導するため、前記ロックピン（２６）を前記ハートカム（２３）の凹部（２３ａ）の方向に付勢するクッション（２７）をロックピン部（２１）に設けたことを特徴とするハートカム式ロック装置。
【請求項２】
揺動可能で且つハートカム（２３）を有するリテーナ部（２０）と、ロックピン（２６）とを具備し、
前記リテーナ部（２０）とロックピン（２６）の何れか一方を押し動作することによりロックピン（２６）にハートカム（２３）の凹部（２３ａ）が誘導されてロック状態となり、
前記ロック状態から再度リテーナ部（２０）とロックピン部（２１）の何れか一方を押し動作することによりロックピン（２６）とハートカム（２３）の凹部（２３ａ）との係合が外れてロックが解除されるハートカム式ロック装置において、
前記最初の押し動作時に、前記ロックピン（２６）にハートカム（２３）の凹部（２３ａ）を誘導するため、前記ハートカム（２３）の凹部（２３ａ）がロックピン（２６）に係合する方向に前記リテーナ（２２）を付勢するクッション（２７）をリテーナ部（２０）に設けたことを特徴とするハートカム式ロック装置。
【請求項３】
前記クッション（２７）は弾性を有する樹脂、または板ばねであることを特徴とする請求項１又は２に記載のハートカム式ロック装置。
【発明の詳細な説明】
【技術分野】
【０００１】
本発明は、ハートカム式ロック装置に関し、さらに詳しく述べると、自動車の灰皿或いは小物入れなどのドアに用いられるロック装置に関し、さらにロック操作時に発生する騒音を抑制したハートカム式ロック装置に関する。
【背景技術】
【０００２】
従来、自動車の室内には、灰皿、小物入れ等、スライドする引き出し又は揺動可能な引き出しが用いられている。これらの灰皿、小物入れ等にはその引き出しをロックするためロック装置が付設されている。図４及び図５はその１例として、実公平６−１７６３６号公報に記載されたハートカム式ロック装置付きの灰皿を示したものである。
【０００３】
図４は分解斜視図であり、１はケース、２は灰皿であり、該灰皿２は矢印Ａ―Ａ′方向に摺動可能にケース１に収容される。図５（ａ）はこのロック装置付き灰皿を下面より見た図であり、図５（ｂ）は（ａ）図のカム部拡大図である。そして、（ａ）図に示すように、灰皿２には２本のラック３ａ，３ｂとカム部４が設けられ、ケース１には前記ラックラック３ａ，３ｂに噛み合うピニオンギア５ａ，５ｂと、該ピニオンギア５ａ，５ｂに噛み合う平歯車６と、前記カム部４とロック装置を構成するロックピン７とが設けられている。そして、前記平歯車６には図示なき渦巻ばねが内蔵され、該渦巻ばねが平歯車６及びピニオンギア５ａ，５ｂを介して前記ラック３ａ，３ｂを駆動して前記灰皿２を常時ケース１から押し出す方向に付勢している。また、カム部４とロックピン７は灰皿２をケース１に押し込んだとき係合してその状態を維持するようになっている。
【０００４】
ハートカム式ロック装置は図５（ｂ）に示すように、カム部４とロックピン７とよりなり、カム部４にはロックピン７を係止するハート形状のハートカム８と、該ハートカム８の３方を囲んでロックピン７を案内するリテーナ９とが設けられ、ロックピン７は（ａ）図に示すように揺動アーム１０に支持されている。
【０００５】
そして、ハートカム８にはロックピン７を係止する凹部８ａが形成され、リテーナ９にはロックピン７を案内するガイド部９ａと、ロックピン７を停止させる第１、第２の２つの凹部９ｂ，９ｃが形成されている。そして、灰皿２と共にリテーナ９が矢印Ａ方向に押圧移動させられるとケース１に揺動可能に設けられたロックピン７が矢印Ｂの如くハートカム８及びリテーナ９のガイド部９ａに沿って移動し、第１の凹部９ｂで停止する。灰皿２の押圧を止めると灰皿２が矢印Ａ′方向に戻るためロックピン７はハートカム８の凹部８ａに落ち込んで停止する。この状態はロックした状態である。これにより灰皿２はケース１内に収納された状態でロックされる。
【０００６】
次に、灰皿２を再び矢印Ａ方向に押圧すると、ロックピン７はハートカム８の凹部８ａから出てリテーナ９の傾斜に沿って移動し、リテーナ９に形成された第２の凹部１０ｃで停止する。次いで、灰皿２の押圧を止めれば、灰皿２は矢印Ａ′方向に戻る。これにより灰皿２はケース１から押し出されて使用可能状態となる。
【０００７】
このようなハートカム式ロック装置付き灰皿においては、ケース１に灰皿２を収納するときロック装置のロックピン７がリテーナ９のガイド部９ａに衝突して騒音を発生するという問題がある。このように、ハートカム式ロック装置において強閉時の打音が大となるのは特にリテーナ９が金属の場合顕著である。強閉時の打音の原因の一つとして図６に示すリテーナにおいて、案内部Ａ、Ｂと内側壁Ｃにロックピンが当たる音が挙げられる。またＡ、Ｂ、Ｃ部それぞれの音の大きさを測定するとＢ＞Ａ＞Ｃとなる。従ってＢを対策することが重要である。
【０００８】
また、単純に打音を低減するにはＡ、Ｂ案内部の傾斜各をロックピンの進入に対して鋭角にすれば壁に対する打撃値が下がり音も低くなる。但しその場合は、Ａの案内部の（ａ）寸法が大きくなる。またＢ案内部を鋭角にした場合は（ｂ）寸法が大きくなりプッシュストロークが大となって操作性が悪くなる等の問題が生ずる。
【特許文献１】実公平６−１７６３７号公報
【特許文献２】実公平６−１７６３６号公報
【特許文献３】特許第２７９４３９５号
【特許文献４】特開２０００−２５５０５号公報
【発明の開示】
【発明が解決しようとする課題】
【０００９】
本発明は、上記のような従来の技術の問題点を解決することを目的とする。
本発明の目的は、ロック装置付き灰皿等に用いられるハートカム式ロック装置において、ロック部の寸法を大きくすることなく、また、操作性を悪化させずに、ロック時に発生する騒音を防止し可能としたハートカム式ロック装置を提供することにある。
本発明の上記したような目的は、以下の詳細な説明から容易に理解することができるであろう。
【課題を解決するための手段】
【００１０】
本発明の請求項１のハートカム式ロック装置は、ハートカム２３を有するリテーナ部２０と、揺動可能なロックピン２６を有するロックピン部２１とを具備し、前記リテーナ部２０とロックピン部２１の何れか一方を押し動作することによりロックピン２６がハートカム２３の凹部２３ａに誘導されてロック状態となり、前記ロック状態から再度リテーナ部２０とロックピン部２１の何れか一方を押し動作することによりロックピン２６がハートカム２３の凹部２３ａから脱出してロックが解除されるハートカム式ロック装置において、前記最初の押し動作時に、前記ロックピン２６をハートカム２３の凹部２３ａに誘導するため、前記ロックピン２６を前記ハートカム２３の凹部２３ａの方向に付勢するクッション２７をロックピン部２１に設けたことを特徴とする。
【００１１】
また、請求項２は、揺動可能で且つハートカム２３を有するリテーナ部２０と、ロックピン２６とを具備し、前記リテーナ部２０とロックピン２６の何れか一方を押し動作することによりロックピン２６にハートカム２３の凹部２３ａが誘導されてロック状態となり、前記ロック状態から再度リテーナ部２０とロックピン２６の何れか一方を押し動作することによりロックピン２６とハートカム２３の凹部２３ａとの係合が外れてロックが解除されるハートカム式ロック装置において、前記最初の押し動作時に、前記ロックピン２６にハートカム２３の凹部２３ａを誘導するため、前記ハートカム２３の凹部２３ａがロックピン２６に係合する方向に前記リテーナ２２を付勢するクッション２７をリテーナ部２０に設けたことを特徴とする。
【００１２】
また、請求項３は、前記クッション２７は弾性を有する樹脂、または板ばねであることを特徴とする。
【発明の効果】
【００１３】
本発明によれば、以下の詳細な説明から理解されるように、ハートカム式ロック装置において、ロックピンをハートカムの凹部に誘導するため、前記ロックピンを前記ハートカムの凹部の方向に付勢する弾性部材を設けたことにより、ロックピンが直接リテーナに衝突しないため、騒音の発生は防止される。また、ロック装置の寸法を大きくすることもなく、操作性を悪化させることもない、
【発明を実施するための最良の形態】
【００１４】
引き続いて、本発明をその実施例により説明する。なお、本発明は、これらの実施例によって限定されるものでないことは言うまでもない。
【００１５】
図１は本発明のハートカム式ロック装置の第１の実施例を示す図で、（ａ）は平面図、（ｂ）は（ａ）図のｂ−ｂ線における断面図である。同図において、符号２０はリテーナ部、２１はロックピン部である。
そして、前記リテーナ部２０は一方が開放した枠状をなすリテーナ２２と、該リテーナ２２のほぼ中央部に位置するハート形のハートカム２３とよりなり、該ハートカム２３には凹部２３ａと傾斜した第１案内部２３ｂが形成されている。また、リテーナ２２には前記該ハートカム２３の凹部２３ａに対向して突出し先端が傾斜した第２案内部２２ａと、開放部の一方に第３案内部２３ｂが形成されている。なお、本リテーナ２２には図６で説明した案内部Ｂはない。
【００１６】
前記ロックピン部２１は、（ａ）（ｂ）図に示すように、支持軸２４に揺動可能に支持された揺動アーム２５と、該揺動アーム２５先端に設けられたロックピン２６と、該ロックピン２６の側方に近接して設けられたクッション２７と、該クッション２７を支持するクッション支持部材２８とよりなる。なお、クッション２７としては樹脂弾性体や板ばねを用いることができる、
【００１７】
このように構成された本実施例の作用を図２により説明する。先ず、（ａ）図のロック開放状態からロックピン部２１を矢印Ａ方向に移動させる。すると（ｂ）図の如く、ロックピン部２１のロックピン２６はリテーナ２２のハートカム２３の第１案内部２３ｂに案内されて時計方向に揺動する。同時に揺動アーム２５の先端近傍の側面はクッション２７を押圧し弾性変形させる。さらにロックピン部２１を矢印Ａ方向に移動させると、ロックピン２６はハートカム２３から離れ、クッション２７に押し戻される。その後、ロックピン部２１を矢印Ａと反対方向に移動させるとロックピン２６はハートカム２３の凹部２３２３ａに収まり（ｃ）図の状態、即ちロック状態となる。
【００１８】
ロックを解除するには、図２の（ｃ）図の状態からロックピン部２１を矢印Ａと反対方向、即ちＡ′方向に移動させれば、ロックピン２６はハートカム２３の凹部２３ａから離れてリテーナ２２の第２案内斜面に沿って矢印Ｂ方向に移動する。その状態で、ロックピン部２１を矢印Ａと反対方向に移動させるロックピン２６はハートカム２３の側面を素通りすることになる。即ち、ロックが解除されたことになる。
【００１９】
このように作用する本実施例は、ロック時に、ロックピン２６がクッション２７で案内され金属部に衝突しないため、従来の金属同士が衝突して発生する打撃音は小さくなる。即ち、図６で説明した最も騒音発生の大きい案内部Ｂがないため騒音は小さい。
【００２０】
図３は本発明の第２の実施例を説明する図であり、（ａ）は平面図、（ｂ）は（ａ）図のｂ−ｂ線における断面図である。本実施例は、同図において、符号２０はリテーナ部、２６はロックピンである。そして、前記リテーナ部２０は一方が開放した枠状をなすリテーナ２２と、該リテーナ２２のほぼ中央部に位置するハート形のハートカム２３とよりなり、該ハートカム２３には凹部２３ａと傾斜した第１案内部２３ｂが形成されている。
【００２１】
また、リテーナ２２には前記該ハートカム２３の凹部２３ａに対向して突出し先端が傾斜した第２案内部２２ａと、開放部の一方に第３案内部２３ｂが形成されている。また、該リテーナ２２は一端を軸３０により揺動可能に支持されている。また、該リテーナ２２の側方にはクッション支持部材２８により支持されたクッション２７が設けられている。なおクッション２７としては樹脂弾性体や板ばねを用いることができる、また、ロックピン２６は本実施例では揺動しないようになっている。
【００２２】
このように構成された本実施例は、ロック状態にするためロックピン２６を矢印Ａ方向に移動した場合、リテーナ部２０はハートカム２３が、その第１案内部２３ｂをロックピン２６により凹圧され矢印Ｂ方向に回動しクッション２７を凹圧し弾性変形させる。ロックピン２６が更に進行しハートカム２３からはなれると、リテーナ部２０はクッション２７の復元力で押し戻され元の状態に復帰し、同時にロックピン２６はハートカム２３の凹部２３ａに収まりロック状態となる、このように作用する本実施例は図６で説明した案内部Ｂが無いため、前実施例と同様に金属同士の衝突による騒音を少なくすることができる。
【産業上の利用可能性】
【００２３】
以上説明した第１、第２実施例においては、リテーナ部２０を固定し、ロックピン２６の方を移動させるように説明したが、ロックピン２６の方を固定しリテーナ部２０を移動させるようにすることもできる。また、本発明は、カップホルダー、灰皿、小物入れなどのドア回転タイプ、平行スライドタイプ、軸回転タイプ等に応用することができる。
【図面の簡単な説明】
【００２４】
【図１】本発明のハートカム式ロック装置の第１の実施例を示す図で、（ａ）は平面図、（ｂ）は（ａ）図のｂ−ｂ線における断面図である。
【図２】本発明の第１の実施例の作用を説明するための図である。
【図３】本本発明のハートカム式ロック装置の第２の実施例を示す図で、（ａ）は平面図、（ｂ）は（ａ）図のｂ−ｂ線における断面図である。
【図４】従来のハートカム式ロック装置付きの灰皿の１例を示した斜視図である。
【図５】図４の平面図である。
【図６】従来のハートカム式ロック装置のリテーナを示す図である。
【符号の説明】
【００２５】
２０…リテーナ部
２１…ロックピン部
２２…リテーナ
２３…ハートカム
２４…支持軸
２５…揺動アーム
２６…ロックピン
２７…クッション
２８…クッション支持部材
【図１】
2005319948.tif 000003
【図２】
2005319948.tif 000004
【図３】
2005319948.tif 000005
【図４】
2005319948.tif 000006
【図５】
2005319948.tif 000007
【図６】
2005319948.tif 000008